(57)【要約】【課題】従来の樹脂製ピペットに比較して、液体吸引時の空気の巻き込みが少ない操作性に優れた樹脂製ピペットを提供すること。【解決手段】液体の吸引及び排出を行う先端部と、前記吸引された液体を保持する本体部と、ピペット装置に接続される接続部と、から構成される樹脂製ピペットであって、  前記先端部の内壁面に複数の隆起部を有し、前記隆起部は前記先端部内壁面の円周方向にリング状に形成されたもの、軸線方向に帯状に形成されたもの、あるいは略半球状に形成されたものであることが好ましい。【選択図】  図１
2010164401.tif 000002
【特許請求の範囲】
【請求項１】
液体の吸引及び排出を行う先端部と、前記吸引された液体を保持する本体部と、ピペット装置に接続される接続部と、から構成される樹脂製ピペットであって、
前記先端部の内壁面に複数の隆起部を有することを特徴とする樹脂製ピペット。
【請求項２】
前記複数の隆起部は、前記先端部内壁面の円周方向にリング状に形成されたものである請求項１に記載の樹脂製ピペット。
【請求項３】
前記複数の隆起部は、前記先端部内壁面の軸線方向に帯状に形成されたものである請求項１に記載の樹脂製ピペット。
【請求項４】
前記複数の隆起部は、前記先端部内壁面に略半球状に形成されたものである請求項１に記載の樹脂製ピペット。
【請求項５】
前記複数の隆起部は、前記先端部端面より１ｍｍ以上、１０ｍｍ以下の位置に形成されたものである請求項１乃至４のいずれかに記載の樹脂製ピペット。
【請求項６】
前記複数の隆起部の高さは、０．０１ｍｍ以上、０．５ｍｍ以下である請求項１乃至５のいずれかに記載の樹脂製ピペット。
【請求項７】
前記先端部は、先端に向かって先細りになるテーパー部を有している請求項１乃至６のいずれかに記載の樹脂製ピペット。
【請求項８】
前記先端部と、本体部とは一体成形されている請求項１乃至７のいずれかに記載の樹脂製ピペット。
【発明の詳細な説明】
【技術分野】
【０００１】
本発明は、樹脂製ピペットに関するものである。
【背景技術】
【０００２】
ピペットは生化学試験を始めとする液体を使用する様々な分野で使用されている。
この中でも主に液体を移し替える際の吸引、保持、排出用として用いられるピペットがある。この種のピペットは、通常、本体に吸引保持した液体の容量が判別できるように目盛りが表示されており、この目盛りによって液体の秤量を行うことができる。
【０００３】
ピペットはガラス製と樹脂製の２種類に大きく分けられるが、衝撃に強く軽量で、取り扱い性に優れた樹脂製ピペットが主に使用されている。更に、安価である点や、放射線滅菌が出来るといった点も樹脂製ピペットの優れた点である。
樹脂製ピペットは、通常、片手操作で液体の吸引、排出を機械的に行うピペット装置に装着して使用されている。
【０００４】
従来の樹脂製ピペットで液体を吸引する際の問題点として、吸引した際の空気の巻き込みが挙げられる。すなわち、樹脂製ピペットで液体を吸引する際に空気の巻き込みがあると、ピペット本体に表示されている目盛りを用いて秤量する場合、秤量精度にばらつきが生じる場合がある。
更に、この問題点は、樹脂製ピペット使用時における吸引、排出時の操作性を悪化させるだけでなく、それが原因の操作ミスや、最終的には試験や評価の失敗という事態につながる可能性もある。
樹脂製ピペットの先行技術として下記特許文献が挙げられるが、上記吸引時の空気の巻き込みを防止する技術に関しての開示は見当たらない。
【先行技術文献】
【特許文献】
【０００５】
【特許文献１】特開平９−９５０号公報
【発明の概要】
【発明が解決しようとする課題】
【０００６】
本発明は、上記事情に鑑みてなされたものであり、従来の樹脂製ピペットに比較して、液体吸引時の空気の巻き込みが少なく、操作性に優れた樹脂製ピペットを提供することを課題とする。
【課題を解決するための手段】
【０００７】
このような目的は下記（１）〜（８）記載の本発明により達成される。
（１）液体の吸引及び排出を行う先端部と、前記吸引された液体を保持する本体部と、ピペット装置に接続される接続部と、から構成される樹脂製ピペットであって、
前記先端部の内壁面に複数の隆起部を有することを特徴とする樹脂製ピペット。
（２）前記複数の隆起部は、前記先端部内壁面の円周方向にリング状に形成されたものである（１）に記載の樹脂製ピペット。
（３）前記複数の隆起部は、前記先端部内壁面の軸線方向に帯状に形成されたものである（１）に記載の樹脂製ピペット。
（４）前記複数の隆起部は、前記先端部内壁面に略半球状に形成されたものである（１）に記載の樹脂製ピペット。
（５）前記複数の隆起部は、前記先端部端面より１ｍｍ以上、１０ｍｍ以下の位置に形成されたものである（１）乃至（４）のいずれかに記載の樹脂製ピペット。
（６）前記複数の隆起部の高さは、０．０１ｍｍ以上、０．５ｍｍ以下である（１）乃至（５）のいずれかに記載の樹脂製ピペット。
（７）前記先端部は、先端に向かって先細りになるテーパー部を有している（１）乃至（６）のいずれかに記載の樹脂製ピペット。
（８）前記先端部と、本体部とは一体成形されている（１）乃至（７）のいずれかに記載の樹脂製ピペット。
【発明の効果】
【０００８】
本発明によれば、従来の樹脂製ピペットに比較して、液体吸引時の空気の巻き込みが少ない操作性に優れた樹脂製ピペットを提供することができる。
【図面の簡単な説明】
【０００９】
【図１】本発明の樹脂製ピペットの全体を示す図である。
【図２】本発明の樹脂製ピペットの一実施例（隆起部：リング状）を示す図である。
【図３】本発明の樹脂製ピペットの他の実施例（隆起部：帯状）を示す図である。
【図４】本発明の樹脂製ピペットの他の実施例（隆起部：略半球状）を示す図である。
【発明を実施するための形態】
【００１０】
以下、本発明について図を用いて詳細に説明する。
【００１１】
本発明の樹脂製ピペット（７）は、図１に示すように、液体の吸引及び排出を行う先端部（２）と、吸引された液体を保持する本体部（１）と、ピペット装置に接続される接続部（３）、とから構成されている。
【００１２】
本発明の樹脂製ピペット（７）の材質は、透明性に優れていれば特に限定するものではないが、例えばポリスチレン樹脂、ポリエチレンテレフタレート樹脂、ポリメチルメタクリレート樹脂、ポリメチルペンテン樹脂、ポリアクリルニトル等のアクリル系樹脂、プロピオネート樹脂から選ばれるものを単独で用いることもできるし、組合わせて用いることもできる。又はこれらのうち何れかの樹脂を含む共重合体を用いることもできる。
【００１３】
その中でも成形性に優れたポリスチレン樹脂、ポリエチレンテレフタレート樹脂、ポリメチルペンテン樹脂の何れかを含む共重合体が特に好ましい。
【００１４】
また、ポリメチルペンテン樹脂、及びこれを含む共重合体を選択すると薬品への耐性が得られるので、用途に応じてそれらの樹脂を選択することができる。
【００１５】
本発明の樹脂製ピペット（７）は、上記先端部（２）の内壁面に複数の隆起部を有することを特徴とする。この複数の隆起部を有することによって、従来の樹脂製ピペットにおいて生じていた液体の吸引時における空気の巻き込みを少なくさせることができる。この現象におけるメカニズムは定かではないが、先端部分に設けた複数の隆起部により毛細管現象で液体が先端部に満たされ、空気の流入が抑制されるためのものと推測される。
【００１６】
本発明による樹脂製ピペット（７）の先端部内壁面に形成された複数の隆起部の形状に制限はなく、例えば円周方向にリング状に形成されたもの（４）、軸線方向に帯状に形成されたもの（５）、内壁面が略半球状に形成されているものでもよい（６）。
【００１７】
更に、例えば木目、布目、岩目、砂目、波目、梨地処理（サンドブラスト）の他、幾何学模様によって形成されていても良い（不図示）。また、これらの形状が規則的にまたは不規則に形成されたものでもよく、組み合わされた形状でもよい。
【００１８】
隆起部の形状を付与する方法は特に限定するものではないが、シボ加工といった金属表面への微細加工処理のひとつを用いることができ、予め金型表面へ加工処理を施し成形することによりプラスチック成形品表面へ隆起形状を付与する方法を用いることができる。
【００１９】
また、隆起部の形状を付与する方法は、上記のような金型へ加工処理した後、成形品に付与する方法の他に、隆起がない状態の樹脂製ピペットに溶剤、化学薬品等を使用して先端内壁面にエッチング処理を施し、隆起部を付与する方法もあるが、隆起形状の付与の確実性や再現性及び生産時の効率性の点において上記の金型表面へのシボ加工処理での隆起部形状の付与が好ましい。
【００２０】
上記軸線方向に帯状に形成された隆起部（５）の形状は特に限定するものではなく、例えば長軸方向へ直線状、曲線状、螺旋状に形成されていてもよい。更にこれらの形状が規則的にまたは不規則に形成されたものでもよく、組み合わされた形状でもよい。
【００２１】
帯の形状を付与する方法は、金型へのシボ加工同様に予め金型へ帯状の形状を加工し、成形時にプラスチック成形品表面へ目的の帯状の形状を付与する方法を用いることができる。
【００２２】
本発明による樹脂製ピペットの先端部内壁面の隆起部は先端部より１ｍｍ以上、１０ｍｍ以下の位置に形成することが好ましく、１ｍｍ以上、５ｍｍ以下にあることがより好ましい。隆起部を上記範囲に形成することで、液体の吸引、排出時の先端部の液体や液体中の物質の視認がしやすく、操作性を良好なものとすることができる。
【００２３】
隆起部の深さは、０．０１mm以上、０．５mm以下の範囲内にすることが好ましい。隆起部の深さを上記範囲にすることにより、金型表面からの成形品への転写性に優れ、先端部内壁面に所望の隆起部を確実に付与することができる。
【００２４】
更に、隆起部の深さが上記範囲内にあれば、液体の吸引・排出速度に与える影響が少なく操作性に優れるため好ましい。
【００２５】
本発明の樹脂製ピペットの先端部は、先端に向かって先細りになるテーパー部を有していることが好ましい。こうすることで、操作性に優れる。
【００２６】
本発明の樹脂ピペットの先端部と、本体部とは一体成形されていることが好ましい。こうすることで、組立工数を削減できると共に、接続部の段差がないためスムーズで滞留のない吸引・排出ができる。
【実施例】
【００２７】
以下、実施例によって本発明を詳細に説明する。
【００２８】
（実施例）
ポリスチレン製ピペットの先端部内壁面に、隆起部を先端部より５ｍｍの位置まで帯状に付設した。
【００２９】
（比較例）
市販のポリスチレン製ピペットを用いた。
【００３０】
（空気の巻き込み性テスト方法）
評価方法はピペット装置へ実施例、比較例のピペット（容量：５ｍＬ）を接続し、ピペット表面へ付設されている目盛りを目安に、超純水５ｍＬを吸引する操作を各々１０回ずつ実施した。１回ずつピペット内に空気が巻き込まれているかどうかを目視にて観察した。
【００３１】
（結果）
先端部内壁面に複数の隆起部を有する本発明の樹脂製ピペットを用いた実施例に於いては、吸引操作１０回中１度も空気の巻き込みがなかった。一方、市販のポリスチレンピペットを用いた比較例に於いては、１０回中３度の空気の巻き込みが観察された。
この結果により、本発明の樹脂製ピペットは、液体吸引時の空気の巻き込みが従来品に比較して格段に少ないことが立証できた。
【符号の説明】
【００３２】
１  本体部
２  先端部
３  接続部
４  隆起部（リング状）
５  隆起部（帯状）
６  隆起部（略半球状）
７  樹脂製ピペット
【図１】
2010164401.tif 000003
【図２】
2010164401.tif 000004
【図３】
2010164401.tif 000005
【図４】
2010164401.tif 000006